(57)【要約】【課題】レセプトの訂正の有無にかかわらず、該レセプトを電子ファイル化するレセプト処理装置を提供する。【解決手段】診療明細領域８１および認識専用領域８２から成るレセプト８０から、認識専用領域のイメージデータを取得し、該イメージデータから文字を認識して認識専用領域テキストデータを作成するレセプト処理装置１０において、診療明細領域から明細領域イメージデータを取得する明細領域イメージデータ取得部１３と、前記明細領域イメージデータから所定の文字を認識して明細領域テキストデータを作成する明細領域テキストデータ作成部１４と、前記認識専用領域テキストデータの診療の明細と、前記明細領域テキストデータの診療の明細とを照合して判断する照合判断部１５と、不一致と判断されたとき、前記明細領域イメージデータを参照して前記認識専用領域テキストデータを補正データで補正するための入力部１８とを含む。【選択図】　　　　図１
2004062279.tif 000002
【特許請求の範囲】
【請求項１】
文書と、該文書の内容を電子ファイル化するための文字の認識専用領域とを有し、前記文書の誤記が訂正可能な書類から、前記認識専用領域を認識して認識専用領域のテキストデータを作成するＯＣＲ認識装置において、
前記書類の文書のイメージデータおよび文書のテキストデータを取得し、該文書のテキストデータと前記認識専用領域のテキストデータとを照合して一致、不一致の何れか一方を判断する照合判断部と、
不一致と判断されたとき、前記明細領域イメージデータを参照して前記認識専用領域テキストデータを補正するための入力部とを含むことを特徴とするＯＣＲ認識装置。
【請求項２】
診療明細領域に示される診療の明細を、電子ファイル化するための文字の認識専用領域を有するレセプトから、前記認識専用領域のイメージデータを取得し、該イメージデータから文字を認識して認識専用領域テキストデータを作成するレセプト処理装置であって、
前記診療明細領域からイメージデータを取得する明細領域イメージデータ取得部と、
取得した前記明細領域イメージデータから所定の文字を認識して明細領域テキストデータを作成する明細領域テキストデータ作成部と、
前記認識専用領域テキストデータに示される診療の明細と、前記明細領域テキストデータに示される診療の明細とを照合して一致および不一致の何れか一方を判断する照合判断部と、
前記照合判断部により不一致と判断されたとき、前記明細領域イメージデータを参照して前記認識専用領域テキストデータを補正するための入力部とを含むことを特徴とするレセプト処理装置。
【請求項３】
前記照合判断部は、前記認識専用領域テキストデータに示される診療の明細を示す複数の文字と、該複数の文字に対応して前記明細領域テキストデータに示される診療の明細を示す文字とが所定数一致すると、一致と判断する請求項２記載のレセプト処理装置。
【請求項４】
診療明細領域に示される診療の明細を、電子ファイル化するための文字の認識専用領域を有するレセプトから、前記認識専用領域のイメージデータを取得し、該イメージデータから文字を認識して認識専用領域テキストデータを作成するプログラムであって、
前記診療明細領域からイメージデータを取得すること、
取得した前記明細領域イメージデータから所定の文字を認識して明細領域テキストデータを作成すること、
前記認識専用領域テキストデータに示される診療の明細と、前記明細領域テキストデータに示される診療の明細とを照合して一致、不一致の何れか一方を判断すること、
不一致と判断されたとき、前記明細領域イメージデータを参照して前記認識専用領域テキストデータを補正データで補正することを実行させるプログラム。
【発明の詳細な説明】
【０００１】
【発明の属する技術分野】
本発明は、書類を電子ファイル化するＯＣＲ認識装置に関し、特に診療の明細が示された診療報酬明細書（以後レセプトと記す）を電子ファイル化すべく、前記レセプトの文字の認識専用領域をイメージデータとして取得した後、該イメージデータから文字を認識してテキストデータを作成するレセプト処理装置に関する。
【０００２】
【従来の技術】
医療機関では、患者（被保険者）毎に、診療の明細を示すレセプト８０を作成する。このレセプト８０は、紙に印刷された書類であって、図２に示されるように、診療の明細が示された診療明細領域８１と、該領域の下側に診療の明細が数値化された文字の認識専用領域８２とから成る。認識専用領域８２に示される数値は、図３に示すように、所定の桁数毎に診療明細領域の各項目に対応している。更に認識専用領域８２に示される数値は、ＯＣＲ（光学式文字認識装置）による誤認識を防ぐために、ＯＣＲ認識用のフォントで記述され、かつ所定の桁数毎に誤認識をチェックするためのＣＤ（チェックデジット）を含んでいる。
【０００３】
前記したレセプトは、病院から社会保険診療報酬支払基金へ送られる。社会保険診療報酬支払基金では、病院から送られてきたレセプト８０の内容が係員により審査された後、レセプト処理装置で電子ファイル化される。
レセプト８０を電子ファイル化するレセプト処理装置は、レセプト８０の文字の認識専用領域８２から認識専用領域イメージデータを取得すると、ＯＣＲで認識専用領域イメージデータから文字を認識して認識専用領域テキストデータを電子ファイルとして作成する。このように作成された電子ファイルが、レセプトと共に社会保険診療報酬支払基金から被保険者の加入する各健康保険組合に送られる。
【０００４】
【発明が解決しようとする課題】
ところで、社会保険診療報酬支払基金の係員がレセプト８０を審査し、必要に応じてレセプト８０を訂正するとき、レセプト８０の診療明細領域８１は係員により訂正されるが、認識専用領域８２は訂正されない。これは、訂正された診療明細領域８１の内容を数値化し、この数値を訂正すべき認識専用領域８２の数値と置換する技能が係員に必要とされるからである。
従来のレセプト処理装置では、レセプト８０の文字領域８２のみを認識して電子ファイルを作成することから、訂正されたレセプト８０つまりは診療明細領域８１のみが訂正されたレセプト８０を正しく電子ファイル化することができない。訂正されたレセプトを正しく電子ファイル化するためには、訂正された診療明細領域８１を参照して認識専用領域８２の全項目を手入力する端末装置が必要であった。前記したように従来では、レセプトの訂正の有無に応じて電子ファイルを作成する装置が使い分けられていた。
従って、本発明の目的は、レセプトの訂正の有無にかかわらず、レセプトを電子ファイル化するレセプト処理装置を提供することにある。
【０００５】
【課題を解決するための手段】
本発明は、以上の点を解決するために、次の構成を採用する。
文書と、該文書の内容を電子ファイル化するための文字の認識専用領域とを有し、前記文書の誤記が訂正可能な書類から、前記認識専用領域を認識して認識専用領域のテキストデータを作成するＯＣＲ認識装置において、前記書類の文書のイメージデータおよび文書のテキストデータを取得し、該文書のテキストデータと前記認識専用領域のテキストデータとを照合して一致、不一致の何れか一方を判断する照合判断部と、不一致と判断されたとき、前記明細領域イメージデータを参照して前記認識専用領域テキストデータを補正するための入力部とを含むことを特徴とする。
【０００６】
診療明細領域に示される診療の明細を、電子ファイル化するための文字の認識専用領域を有するレセプトから、前記認識専用領域のイメージデータを取得し、該イメージデータから文字を認識して認識専用領域テキストデータを作成するレセプト処理装置であって、前記診療明細領域からイメージデータを取得する明細領域イメージデータ取得部と、取得した前記明細領域イメージデータから所定の文字を認識して明細領域テキストデータを作成する明細領域テキストデータ作成部と、前記認識専用領域テキストデータに示される診療の明細と、前記明細領域テキストデータに示される診療の明細とを照合して一致および不一致の何れか一方を判断する照合判断部と、前記照合判断部により不一致と判断されたとき、前記明細領域イメージデータを参照して前記認識専用領域テキストデータを補正するためのデータ入力部とを含むことを特徴とする。
前記照合判断部は、前記認識専用領域テキストデータに示される診療の明細を示す複数の文字と、該複数の文字に対応して前記明細領域テキストデータに示される診療の明細を示す文字とが所定数一致すると、一致と判断することができる。
【０００７】
診療明細領域に示される診療の明細を、電子ファイル化するための文字の認識専用領域を有するレセプトから、前記認識専用領域のイメージデータを取得し、該イメージデータから文字を認識して認識専用領域テキストデータを作成するプログラムであって、前記診療明細領域からイメージデータを取得すること、取得した前記明細領域イメージデータから所定の文字を認識して明細領域テキストデータを作成すること、前記認識専用領域テキストデータに示される診療の明細と、前記明細領域テキストデータに示される診療の明細とを照合して一致、不一致の何れか一方を判断すること、不一致と判断されたとき、前記明細領域イメージデータを参照して前記認識専用領域テキストデータを補正データで補正することを実行させることができる。
【０００８】
【発明の実施の形態】
以下、本発明を図示の実施の形態について説明する。
図１は、本発明のレセプト処理装置１０を示すブロック図である。
レセプト処理装置１０は、認識専用領域８２の認識専用領域イメージデータを取得する例えばスキャナから成る認識専用領域イメージデータ取得部１１と、該取得部１１で取得した認識専用領域イメージデータから文字を認識する例えばＯＣＲから成る認識専用領域テキストデータ作成部１２と、レセプト８０の診療明細領域８１の明細領域イメージデータを取得する例えばスキャナから成る明細領域イメージデータ取得部１３と、該取得部１３で取得した明細領域イメージデータから文字を認識する例えばＯＣＲから成る明細領域テキストデータ作成部１４と、該作成部１４で作成した明細領域テキストデータが示す診療の明細と、前記認識専用領域テキストデータ作成部１２で作成した認識専用領域テキストデータが示す診療の詳細とを照合して一致および不一致の何れか一方を判断する照合判断部１５と、該照合判断部１５により不一致と判断されたとき、前記明細領域イメージデータを参照するディスプレイ１６および前記認識専用領域テキストデータを補正すべく補正データを入力するキーボード１７を備えた入力部１８とを含む。
【０００９】
次に本発明のレセプト処理装置１０の動作を図８に示すフローチャートに沿って説明する。
認識専用領域イメージデータ取得部１１は、レセプト８０の認識専用領域８２から、認識専用領域イメージデータを取得し保持する。認識専用領域テキストデータ作成部１２は、認識専用領域イメージデータ取得部１１で保持する明細領域イメージデータから数値を認識して認識専用領域テキストデータを作成する（ステップＳ１０）。作成された認識専用領域テキストデータにはＣＤが含まれており、認識専用領域テキストデータは所定の桁数毎に診療明細領域の各項目と対応している。
【００１０】
明細領域イメージデータ取得部１３は、レセプト８０の診療明細領域８１から、明細領域イメージデータを取得し保持する。明細領域テキストデータ作成部１４は、明細領域イメージデータ取得部１３で保持する明細領域イメージデータから、所定の数値を認識して明細領域テキストデータを作成する。前記した所定の数値とは、診療明細領域８１の各項目に対応する明細領域イメージデータの各区域に含む数値である。明細領域テキストデータ作成部１４は、前記した各区域毎に、該区域に含まれる数値を認識し、認識したそれらの数値を文字コードで示した明細領域テキストデータを作成する（ステップＳ２０）。
明細領域テキストデータ作成部１４で作成される明細領域テキストデータは、所定の桁数毎に、診療明細領域の各項目を示した認識専用領域テキストデータの各データと対応しているが、明細領域テキストデータには、ＣＤ（チェックデジット）が含まれていない。
【００１１】
次に、明細領域イメージデータの数値が認識できないとき、明細領域テキストデータ作成部１４が作成する明細領域テキストデータを説明する。
例えば、図４に示すように、レセプト８０の診療明細領域８１のある項目に“１２３４５”と示された５桁の数値が、係員により二重取消し線で取消されて、その下側の所定の位置に“１２３００”と訂正されたとき、明細領域テキストデータ作成部１４は、明細領域イメージデータ取得部１３で取得した明細領域イメージデータの“１２３４５”が二重取消し線で取消された区域を、１桁の不明な数値と認識し、予め保持する各区域毎の桁数の情報に基づいて、認識した区域を“？？？？？”と示したデータで明細領域テキストデータを作成する。
【００１２】
また、明細領域イメージデータの“３１３１２”と示されたある区域において、左から順に“３１３１”と認識できたが右端の“２”のみが認識できなかったとき、明細領域テキストデータ作成部１４は、認識した区域を“３１３１？”と示したデータで明細領域テキストデータを作成する。
前記したように、明細領域テキストデータ作成部１４は、認識不可能であるとき、これを示す“？”記号を用いて明細領域テキストデータを作成する。
【００１３】
照合判断部１５は、明細領域テキストデータ作成部１４からの明細領域テキストデータと、認識専用領域テキストデータ作成部１２からの認識専用領域テキストデータとに基づいて、前記認識専用領域テキストデータに示される所定の桁数の数値と、該数値に対応する前記詳細領域テキストデータの前記所定の桁数の数値とを照合する。前記した所定の桁数の数値は、診療明細領域８１の診療の明細を示すある項目の内容であり、照合判断部１５は、この項目毎に、該項目に対応する前記認識専用領域テキストデータの数値と、前記詳細領域テキストデータの数値とを照合して一致および不一致の何れか一方を判断する（ステップＳ３０）。
【００１４】
前記した図４に示されるレセプト８０の診療明細領域８１のある項目に“１２３４５”と示された５桁の数値が、二重取消し線で取消され、その取消された下側に“１２３００”と訂正されたときの照合判断部１５の動作を説明する。
照合判断部１５は、認識専用領域テキストデータ作成部１２から認識専用領域イメージデータの“１２３４５”と示されたデータと、明細領域テキストデータ作成部１４からの明細領域イメージデータの“？？？？？”と示されたデータとを照合する。照合判断部１５は、“１”と“？”、“２”と“？”、“３”と“？”、“４”と“？”および“５”と“？”のいずれも一致しないことから、不一致と判断する。この不一致と判断されたことを、後述する入力部１８のディスプレイ１６で表示する。前記した照合を示す表を図５で示す。
【００１５】
また、“３１３１２”と示される認識専用領域テキストデータと、“３１３１？”と示される明細領域テキストデータとを照合するときの照合判断部１５の動作を説明する。
照合判断部１５は、左から順に“３１３１”までは、合致するが、右端の“２”と“？”とが不一致であると判断する。しかし、明細領域テキストデータ作成部１４による誤認識もあり得ることから、照合判断部１５は所定の桁数以下で不一致のとき、あえて一致と判断する。つまり、所定の桁数の数値が一致すれば、一致と判断する。これは、診療明細領域８１に記述される数値に明細領域テキストデータ作成部１４での誤認識を防止する策が施されていないことを加味しての判断である。従って照合判断部１５における不一致の許容桁数は、明細領域テキストデータ作成部１４での認識率に合わせて設定される。前記した照合を示す表を図６で示す。
【００１６】
照合判断部１５で不一致と判断されたとき、入力部１８のディスプレイ１６には、不一致を示す表示がされる。この表示は、フリッカさせたりまたは反転表示させたりして、係員に不一致を容易に把握させる策が施されており、図７に示すように、この表示と共に該ディスプレイ１６の所定の領域に明細領域イメージデータが表示される。係員は、明細領域イメージデータを参照して、適切な補正データを入力部１８のキーボード１７を用いて作成する（ステップＳ４０）。作成された補正データは、照合判断部１５で不一致と判断された認識専用領域テキストデータのデータと置換される。この置換により認識専用領域テキストデータは補正される（ステップＳ５０）。
【００１７】
前記したように、本発明のレセプト処理装置１０は、明細領域イメージデータ取得部１３で明細領域イメージデータを取得し、取得した明細領域イメージデータを明細領域テキストデータ作成部１４で明細領域テキストデータを作成し、該明細領域テキストデータに示される診療の明細と、認識専用領域テキストデータに示される診療の明細とを照合判断部１５で照合することにより、レセプトが訂正された場合において、訂正された認識専用領域テキストデータのデータを発見でき、係員は、訂正されたデータを入力部１８で明細領域イメージデータを参照して補正データを作成し、この補正データにより補正できることから、訂正されたレセプトにおいても、その訂正を反映した電子ファイルを作成することができる。
【００１８】
本発明のレセプト処理装置１０の各部（認識専用領域イメージデータ取得部１１、認識専用領域テキストデータ作成部１２、明細領域イメージデータ取得部１３、明細領域テキストデータ作成部１４、照合判断部１５および入力部１８）は、従来から知られるＬＡＮなどのネットワークなどで接続する構成であってもよい。
認識専用領域テキストデータ作成部１２および明細領域テキストデータ作成部１４の認識は数値に限ることなく、レセプト８０に応じて適宜、文字および記号などを認識するようにしてもよい。
本発明の認識専用領域イメージデータ取得部１１および明細領域イメージデータ取得部１３は、イメージデータを取得する機能を共用する構成であってもよい。
【００１９】
本発明の認識専用領域テキストデータ作成部１２および明細領域テキストデータ作成部１４は、文字を認識する機能を共用する構成であってもよい。
本発明のレセプト処理装置１０は、明細領域テキストデータと認識専用領域テキストデータとを一括的に照合する例を示したが、これに代えて、診療明細領域８１に示される項目毎に、文字を認識してテキストデータを逐次作成し、このテキストデータと、該テキストデータに対応する認識専用領域テキストデータとを照合してレセプト８０を電子ファイル化するようにしてもよい。
【００２０】
前記したように本発明のレセプト処理装置によれば、レセプトの診療明細領域から明細領域イメージデータを取得し、該明細領域イメージデータの所定の文字を認識して文字コードに変換した明細領域テキストデータを作成し、該テキストデータに示される診療の明細と、認識専用領域テキストデータに示される診療の明細とを照合して、一致および不一致のいずれか一方を判断する。この判断により不一致と判断されたとき、入力部で前記明細領域イメージデータを参照して前記認識専用領域テキストデータを補正するための補正データを入力することから、訂正されたレセプトにおいても、その訂正を反映した電子ファイルを作成することができる。従って、本発明のレセプト処理装置によれば、レセプトの訂正の有無に応じて装置を使い分ける必要なく、レセプトを電子ファイル化することができる。
【図面の簡単な説明】
【図１】本発明のレセプト処理装置を示すブロック図である。
【図２】診療明細領域と認識専用領域とから成るレセプトを示す図である。
【図３】認識専用領域の数値の内容を示すブロック図である。
【図４】訂正されたレセプトを示す図である。
【図５】訂正があるレセプトの診療明細領域と認識専用領域との照合を示す表である。
【図６】不読文字が１字あるときの診療明細領域と認識専用領域との照合を示す表である。
【図７】入力部のディスプレイ画面を示す図である。
【図８】本発明のレセプト処理装置の動作を示すフローチャートである。
【符号の説明】
１０　レセプト処理装置
１１　認識専用領域イメージデータ取得部
１２　認識専用領域テキストデータ作成部
１３　明細領域イメージデータ取得部
１４　明細領域テキストデータ作成部
１５　照合判断部
１６　ディスプレイ
１７　キーボード
１８　入力部
【図１】
2004062279.tif 000003
【図２】
2004062279.tif 000004
【図３】
2004062279.tif 000005
【図４】
2004062279.tif 000006
【図５】
2004062279.tif 000007
【図６】
2004062279.tif 000008
【図７】
2004062279.tif 000009
【図８】
2004062279.tif 000010